(57)【要約】【課題】点状光源から発生される光に関して、その点状光源の近傍において局所的に輝度が高くなることを解消すると共に導光体の光出射面の全面的な輝度の低下を防止する。【解決手段】光を発生する光源４２と、光源４２からの光を入光面３９ａから受け取って光出射面から出射する導光体３９とを有する照明装置３である。入光面３９ａにはプリズム面６１と平面６２とが連続する光学パターンが形成される。光源４２から出た光はその光学パターンによって平面方向へ拡散されるので、導光体３９におけるＬＥＤ４２の近傍に局所的高輝度領域が発生することがなくなる。しかも、光出射面から平面的に放射される光の輝度は低下しない。【選択図】図１
2008060086.tif 000002
【特許請求の範囲】
【請求項１】
光を発生する光源と、該光源を支持する基板と、前記光源からの光を入光面から受け取って光出射面から出射する導光体とを有し、
前記基板のうち前記光源を支持した面には、前記光源の近傍に発生する局所的高輝度領域の輝度を抑えるための光学領域が設けられてなることを特徴とする照明装置。
【請求項２】
請求項１において、前記光学領域は、光を反射させ難い部材を前記光源の発光面の近傍の前記基板上に設けることによって形成されることを特徴とする照明装置。
【請求項３】
請求項１において、前記光学領域は、前記基板上の領域であって前記光源からの光が到達する領域に光を反射させ難い部材を設けることによって形成されることを特徴とする照明装置。
【請求項４】
請求項２又は請求項３において、前記光を反射させ難い部材は、前記光源が有する光指向性領域よりも広い範囲で設けられることを特徴とする照明装置。
【請求項５】
請求項１から請求項４のいずれか１つにおいて、前記光源が設けられた前記基板の表面であって前記光学領域の周辺領域に光反射領域を設けることを特徴とする照明装置。
【請求項６】
請求項５において、前記光反射領域は白色領域によって形成されることを特徴とする照明装置。
【請求項７】
請求項２から請求項４のいずれか１つにおいて、前記光を反射させ難い部材は、光吸収部材、光拡散部材又は光透過部材であることを特徴とする照明装置。
【請求項８】
請求項２から請求項４のいずれか１つにおいて、前記光を反射させ難い部材は、黒色又は灰色の印刷であることを特徴とする照明装置。
【請求項９】
請求項１から８のいずれか１つにおいて、前記入光面には、プリズム面と平面とが連続する光学パターンが形成されることを特徴とする照明装置。
【請求項１０】
請求項９において、前記プリズム面の高さ又は深さは１０〜５０μｍ、望ましくは０．０２〜０．０３ｍｍであり、前記プリズム面の頂角は８０〜１２０°であり、前記プリズムのピッチは１００〜３００μｍであることを特徴とする照明装置。
【請求項１１】
請求項１から１０のいずれか１つにおいて、前記導光体の光出射面及び／又はその反対側の面には光の屈折率を調節するための複数のドットパターンが形成され、それらのドットパターンのうち前記入光面に最も近い位置に形成されたドットパターンの幅は前記プリズム面の底辺の長さよりも小さいことを特徴とする照明装置。
【請求項１２】
請求項１から１０のいずれか１つにおいて、前記導光体の光出射面及び／又はその反対側の面には光の屈折率を調節するための複数のストライプパターンが形成されることを特徴とする照明装置。
【請求項１３】
請求項１から請求項１２のいずれか１つにおいて、前記光源は、青色ＬＥＤと、該青色ＬＥＤの周辺に設けられたＹＡＧ蛍光体とを有することを特徴とする照明装置。
【請求項１４】
光を面状に発生する照明装置と、該照明装置の発光面に対向して設けられた液晶パネルとを有する液晶装置において、前記照明装置は請求項１から請求項１３に記載した照明装置によって構成されることを特徴とする液晶装置。
【請求項１５】
液晶層を具備する液晶装置と、該液晶装置を収容する筐体と、前記液晶装置の動作を制御する制御手段とを有する電子機器において、前記液晶装置は請求項１４に記載した液晶装置によって構成されることを特徴とする電子機器。
【発明の詳細な説明】
【技術分野】
【０００１】
本発明は、光を発生する照明装置、この照明装置を用いて構成される液晶装置、及びこの液晶装置を用いて構成される電子機器に関する。
【背景技術】
【０００２】
現在、携帯電話機、携帯情報端末機、デジタルカメラ、ビデオカメラ、その他各種の電子機器に液晶装置が広く用いられている。多くの場合、液晶装置は、文字、数字、図形等といった像を表示するための表示部として用いられている。
【０００３】
一般に、液晶装置においては、液晶層に印加する電圧を表示ドットごとに制御することにより、その液晶層内の液晶分子の配向を表示ドットごとに制御する。そして、その液晶分子の配向制御により、その液晶層を通過する光を変調し、これにより文字等といった像を表示する。
【０００４】
なお、表示ドットとは、液晶パネルの有効表示領域を構成する多数の最小表示単位のことであり、例えばＲ，Ｇ，Ｂの３原色の混合によりフルカラー表示を行う場合は、各色１個の表示単位が表示ドットであり、それら３色の表示ドットが集まって１つの画素が構成される。また、白黒表示を行う場合は、１つの表示単位が表示ドットであり、その表示ドットがそのまま１つの画素を構成する。
【０００５】
上記液晶装置には、液晶層に光を供給する方法に応じて、反射型液晶装置と透過型液晶装置の２種類がある。反射型液晶装置は、太陽光、室内光等といった外部光を液晶層の裏側で反射させることによって該液晶層に供給する方式である。
また、透過型液晶装置は、液晶層の裏側に照明装置を配設し、該照明装置から発生する光を液晶層に供給する方式である。また、現在では、反射型の表示方式と透過型の表示方式とを併せて有する方式、いわゆる半透過反射型方式の液晶装置も知られている。
【０００６】
従来の照明装置として、例えば図１１（ａ）に示すように、図面の紙面垂直方向が板厚方向である板状の導光板１５１の入光面１５１ａに対向して１つ又は複数の点状光源１５２を配設して成る照明装置がある。この照明装置では、光源１５２から点状に出射する光を入光面１５１ａを通して導光体１５１の内部へ導入し、その光を導光体１５１の光出射面１５１ｂから面状に出射する（例えば、特許文献１参照）。
【０００７】
しかしながら、この従来の照明装置においては、導光体１５１のうち個々の光源１５２に近い領域Ａの輝度が局所的に高くなって、それらの領域Ａが観察者によって過剰に明るく認識されることがあった。本明細書では、そのように輝度が局所的に高くなる領域を局所的高輝度領域ということにする。この領域Ａは、通常、円形に近い形状になることが多く、そのためこの領域Ａは、通称で目玉領域と呼ばれることもある。
【０００８】
上記の局所的高輝度領域Ａの発生を防止するため、従来、図１１（ｂ）に示すように、導光体１５１の入光面１５１ａのうち個々の光源１５２に対向する領域に円弧状の切欠き１５３、いわゆるＲ形状、を設けることが知られている。また、図１２（ｃ）に示すように、導光体１５１において面状の有効発光領域Ｗと光源１５２との間の距離Ｌを長く設定して局所的高輝度領域Ａを有効発光領域Ｗ内では目立たなくさせる構造も知られている。さらに、図１２（ｄ）に示すように、局所的高輝度領域Ａを目立たなくさせるために、導光体１５１の光出射面１５１ｂにヘイズ値の高い、すなわち光拡散度合の高い拡散シート１５４を配設する構造も知られている。
【０００９】
【特許文献１】特開平１０−２６０４０４号公報（第３頁、図１）
【発明の開示】
【発明が解決しようとする課題】
【００１０】
しかしながら、図１１（ｂ）のように導光体１５１の入光面１５１ａに切欠き１５３を設ける構造、図１２（ｃ）のように有効発光領域Ｗと光源１５２との間の距離Ｌを長くする構造、さらに、図１２（ｄ）のように拡散シート１５４を設ける構造、等といったいずれの構造を採用する場合でも、局所的高輝度領域Ａは完全に消すことができなかった。
【００１１】
本発明は、上記の問題点に鑑みて成されたものであって、点状光源から発生される光に関してその点状光源の近傍において局所的に輝度が高くなることを解消することを目的とする。
【課題を解決するための手段】
【００１２】
（１）上記の目的を達成するため、本発明に係る照明装置は、光を発生する光源と、該光源からの光を入光面から受け取って光出射面から出射する導光体とを有し、前記入光面にはプリズム面と平面とが連続する光学パターンが形成されることが望ましい。
【００１３】
この照明装置によれば、入光面が単なる平面ではなく、また、単なるプリズム面の連続でもなく、プリズム面と平面とが連続する面とされているので、入光面に入った光が充分に拡散、特に導光体の平面方向へ十分に拡散する。このため、導光体のうち光源に近い部分に局所的高輝度領域が発生することを確実に防止できる。
【００１４】
また、プリズム面だけの連続とすると導光体からの出射光の輝度が低下して表示画面が暗くなるおそれがあるが、プリズム面と平面との連続とすると、輝度の低下を防止して明るい表示を実現できる。
【００１５】
（２）上記構成の照明装置において、前記プリズム面は、前記導光体の厚さ方向、すなわち平面方向と直角方向、に直線的に延びると共にその断面が三角形状の突起又は窪みによって形成できる。こうすれば、導光体の入光面に入る光をその導光体の平面方向へ十分に拡散できる。
【００１６】
（３）上記構成の照明装置において、前記プリズム面は、前記導光体の厚さ方向、すなわち平面方向と直角方向、に直線的に延びると共にその断面が前記入光面を底辺とする直角三角形状の突起又は窪みによって形成できる。こうすれば、導光体の入光面に入る光をその導光体の平面方向へ十分に拡散できる。
【００１７】
（４）上記構成の照明装置において、前記プリズム面は、前記導光体の厚さ方向、すなわち平面方向と直角方向、に直線的に延びると共にその断面が正三角形よりも尖った２等辺三角形状の突起又は窪みによって形成できる。こうすれば、導光体の入光面に入る光をその導光体の平面方向へ十分に拡散できる。
【００１８】
（５）上記構成の照明装置において、前記プリズム面の幅は前記導光体の厚さ方向の全域で略等しいことが望ましい。プリズム面の設け方として導光体の厚さ方向の全域でなくてその厚さ方向の一部分にプリズム面を設けるということも考えられる。また、プリズム面の幅を導光体の厚さ方向に沿って変化させることも考えられる。しかしながら、これらの場合には、局所的高輝度領域の発生を抑える効果が不十分になることが考えられる。これに対し、プリズム面の幅を導光体の厚さ方向の全域で略等しく設定すれば、局所的高輝度領域の発生を確実に防止できる。また、プリズム面の幅を導光体の厚さ方向の全域で略等しく形成することは、製造上非常に簡単である。
【００１９】
（６）上記構成の照明装置において、前記プリズム面の高さ又は深さは１０〜５０μｍ、望ましくは０．０２〜０．０３ｍｍであり、前記プリズム面の頂角は８０〜１２０°であり、前記プリズムのピッチは１００〜３００μｍであることが望ましい。これにより、局所的高輝度領域の発生を確実に抑えることができ、しかも、出射光の輝度を高く維持できる。
【００２０】
（７）上記構成の照明装置において、前記導光体の光出射面及び／又はその反対側の面には光の屈折率を調節するための複数のドットパターンが形成され、それらのドットパターンのうち前記入光面に最も近い位置に形成されたドットパターンの幅は前記プリズム面の底辺の長さよりも小さく設定することが望ましい。こうすれば、入光面を通して導光体の内部へ入った光が局所的高輝度領域の発生に関与する程度を抑えることができる。
【００２１】
（８）上記構成の照明装置において、前記導光体の光出射面及び／又はその反対側の面には光の屈折率を調節するための複数のストライプパターンを形成することができる。本発明者の実験によれば、ドットパターンを形成した導光体の入光面にプリズム面を形成する場合よりも、ストライプパターンを形成した導光体の入光面にプリズム面を形成する場合の方が、局所的高輝度領域の発生を抑えることに関して効果的であった。
【００２２】
（９）次に、本発明に係る照明装置は、光を発生する光源と、該光源を支持する基板と、前記光源からの光を入光面から受け取って光出射面から出射する導光体とを有し、前記基板のうち前記光源を支持した面には、前記光源の近傍に発生する局所的高輝度領域の輝度を抑えるための光学領域が設けられてなることを特徴とする。
本発明に係る照明装置は、光を発生する光源と、該光源を支持する基板と、前記光源からの光を入光面から受け取って光出射面から出射する導光体とを有し、前記基板のうち前記光源を支持した面には、前記光源の近傍に発生する局所的高輝度領域の輝度を抑えるための光学領域が設けられ、前記入光面には、プリズム面と平面とが連続する光学パターンが形成されることが望ましい。
【００２３】
この照明装置によれば、プリズム面を含む光学パターンが導光体の入光面に形成され、さらに光源側の基板上に光学領域が設けられるので、光学パターンと光学領域との相乗効果により、局所的高輝度領域の発生をより一層確実に防止できる。
【００２４】
（１０）上記構成の照明装置において、前記光学領域は、光を反射させ難い部材を前記光源の発光面の近傍の前記基板上に設けることによって形成できる。これにより、局所的高輝度領域の発生を確実に抑えることができる。
【００２５】
（１１）上記構成の照明装置において、前記光学領域は、前記基板上の領域であって前記光源からの光が到達する領域に光を反射させ難い部材を設けることによって形成できる。これにより、局所的高輝度領域の発生を確実に抑えることができる。
【００２６】
（１２）上記構成の照明装置において、前記光を反射させ難い部材は、前記光源が有する光指向性領域よりも広い範囲で設けられることが望ましい。一般に、光源から出る光は特定の方向に向かう性質、すなわち指向性を有する。局所的高輝度領域はこの光指向性領域に対応して発生することが多い。従って、上記のように光源の光指向性領域に対応させて光を反射させ難い部材を設けておけば、局所的高輝度領域の発生を確実に抑えることができる。
【００２７】
（１３）上記構成の照明装置においては、前記光源が設けられた前記基板の表面であって前記光学領域の周辺領域に光反射領域を設けることが望ましい。上記光学領域は、光源からの光が十分多量に到達する領域に設けられて、該領域から多量の反射光が発生することを抑えるように機能する。このことから分かるように、基板上において上記の光学領域の周辺領域には光源からの光がそれ程多量には供給されない。従って、この周辺領域に対して何等の措置も講じておかなければ、光が十分に到達する光学領域と光が十分に到達しない周辺領域との間に大きな輝度差が生じることも考えられる。この場合、上記周辺領域に光反射領域を設けておけば、光学領域の周辺における反射光量を増加させることが可能となるので、上記の輝度差を抑えることが可能となる。
【００２８】
（１４）上記構成の照明装置において、前記光反射領域は白色領域によって形成することができる。また、この白色領域は、例えば、基板上に白色の印刷を施したり、基板上に白色シールを貼着すること等によって形成することができる。
【００２９】
（１５）上記構成の照明装置において、前記光を反射させ難い部材は、光吸収部材、光拡散部材又は光透過部材によって構成できる。光吸収部材を用いる場合は、光源からの光を吸収することにより光の反射を抑えることができる。また、光拡散部材を用いる場合は、光源からの光を拡散することにより光が特定方向に集中的に反射することを抑えることができる。また、光透過部材を用いる場合には、光源からの光を透過させることにより光の反射を抑えることができる。
【００３０】
（１６）上記構成の照明装置において、前記光を反射させ難い部材は、黒色又は灰色の印刷によって形成できる。あるいは、黒色シール部材や灰色シール部材を基板上に貼着することによっても、当該光を反射させ難い部材を形成することができる。
【００３１】
（１７）上記構成の照明装置において、前記光源は、青色ＬＥＤ（Light Emitting Diode）と、該青色ＬＥＤの周辺に設けられたＹＡＧ蛍光体とによって形成できる。この構造は、白色光を発生するためのＬＥＤの一般的な構成である。
【００３２】
（１８）次に、本発明に係る液晶装置は、光を面状に発生する照明装置と、該照明装置の発光面に対向して設けられた液晶パネルとを有する液晶装置において、前記照明装置は以上に記載した構成の照明装置によって構成されることを特徴とする。この液晶装置で用いる照明装置によれば、光源の近傍に局所的高輝度領域が発生することがないので、表示領域の全面にわたって明るさの均一な表示を実現できる。
【００３３】
（１９）次に、本発明に係る電子機器は、液晶層を具備する液晶装置と、該液晶装置を収容する筐体と、前記液晶装置の動作を制御する制御手段とを有する電子機器において、前記液晶装置は上記構成の液晶装置によって構成されることを特徴とする。この電子機器で用いる液晶装置によれば、局所的に高輝度領域が発生することがなく表示領域の全面にわたって明るさの均一な表示を実現できるので、電子機器の情報表示部に見易い表示を実現することができる。
【発明を実施するための最良の形態】
【００３４】
（照明装置及び液晶装置の実施形態）
以下、本発明に係る照明装置及び液晶装置をそれらの実施形態を例に挙げて説明する。図１は、２端子型のスイッチング素子であるＴＦＤ（Thin Film Diode：薄膜ダイオード）を用いたアクティブマトリクス方式であって、駆動用ＩＣを基板上に直接に実装する構造であるＣＯＧ（Chip On Glass）方式の液晶装置に本発明を適用した場合の実施形態を示している。
【００３５】
図１において、液晶装置１は液晶パネル２に照明装置３を組み付けることによって形成される。液晶パネル２は、第１基板４ａと第２基板４ｂとを環状のシール材６によって貼り合わせることによって形成されている。第１基板４ａと第２基板４ｂとの間には、図２に示すように、スペーサ１４によって維持される隙間、いわゆるセルギャップ１２が形成され、このセルギャップ１２内に液晶が封入されて液晶層１３が形成されている。
【００３６】
図２において、第１基板４ａは、矢印Ｂ方向から見て方形状であってガラス、プラスチック等によって形成された第１基材１１ａを有し、その第１基材１１ａの液晶側表面に半透過反射膜１６が形成され、その上にＴＦＤ２１及びドット電極１７ａが形成され、その上に配向膜１８ａが形成されている。配向膜１８ａの表面には、一対の基板４ａ及び４ｂをシール材６によって貼着する前に、ラビング処理等といった配向処理が施される。
【００３７】
また、第１基材１１ａの外側表面には偏光板２７ａが、例えば貼着等によって装着される。この偏光板２７ａは、ある一方向を向く直線偏光を透過させ、それ以外の偏光を吸収、分散等によって透過させないように機能する。
【００３８】
半透過反射膜１６は光反射性材料、例えばアルミニウムをスパッタリング等によって成膜して反射膜を形成した後、各ドット電極１７ａに対応する位置に、例えばフォトエッチングによって光通過用の開口１９を設けることによって形成される。なお、開口１９を設ける代わりに反射膜の厚さを薄くして、光を反射する機能と光を透過させる機能の両方を持たせるようにすることもできる。
【００３９】
ＴＦＤ２１は図１（ａ）に示すようにドット電極１７ａとライン配線２２との間に形成される。ライン配線２２は、図１に示すように、複数本のそれぞれがＸ方向に延びると共に、それらが互いにＹ方向（すなわち、Ｘ方向と直角の方向）に間隔をおいて平行に並べられて全体としてストライプ状に形成されている。なお、図１では、構造を分かり易く示すためにライン配線２２を数本だけ間隔を大きく開けて模式的に描いてあるが、実際は、ライン配線２２は多数本が非常に狭い間隔で形成される。
【００４０】
個々のＴＦＤ２１は、図３に示すように第１ＴＦＤ要素２１ａと第２ＴＦＤ要素２１ｂとを直列に接続することによって形成されている。このＴＦＤ２１は、例えば、次のようにして形成される。すなわち、まず、ＴａＷ（タンタルタングステン）によってライン配線２２の第１層２２ａ及びＴＦＤ２１の第１金属２３を形成する。次に、陽極酸化処理によってライン配線２２の第２層２２ｂ及びＴＦＤ２１の絶縁膜２４を形成する。次に、例えばＣｒ（クロム）によってライン配線２２の第３層２２ｃ及びＴＦＤ２１の第２金属２６を形成する。
【００４１】
第１ＴＦＤ要素２１ａの第２金属２６はライン配線２２の第３層２２ｃから延びている。また、第２ＴＦＤ要素２１ｂの第２金属２６の先端に重なるように、ドット電極１７ａが形成される。ライン配線２２からドット電極１７ａへ向けて電気信号が流れることを考えれば、その電流方向に沿って、第１ＴＦＤ要素２１ａでは第２電極２６→絶縁膜２４→第１金属２３の順に電気信号が流れ、一方、第２ＴＦＤ要素２１ｂでは第１金属２３→絶縁膜２４→第２金属２６の順に電気信号が流れる。
【００４２】
つまり、第１ＴＦＤ要素２１ａと第２ＴＦＤ要素２１ｂとの間では電気的に逆向きの一対のＴＦＤ要素が互いに直列に接続されている。このような構造は、一般に、バック・ツー・バック（Back-to-Back）構造と呼ばれており、この構造のＴＦＤは、ＴＦＤを１個のＴＦＤ要素だけによって構成する場合に比べて、安定した特性を得られることが知られている。
【００４３】
ＴＦＤ２１の第２ＴＦＤ要素２１ｂの先端に重ねて形成されるドット電極１７ａは、例えば、ＩＴＯ（Indium Tin Oxide）等といった金属酸化物に対してフォトリソグラフィー処理及びエッチング処理を施すことにより形成される。ドット電極１７ａは、図１（ａ）に示すように、１つのライン配線２２の延在方向、すなわちＸ方向に沿って複数個が列状に並べられ、さらに、その列状のドット電極２２がライン配線２２と直角の方向、すなわちＹ方向に互いに平行に並べられている。この結果、複数のドット電極１７ａはＸ方向とＹ方向とによって規定される平面内においてマトリクス状に配列される。
【００４４】
複数のドット電極１７ａは、それらの個々が表示ドットの１つずつを構成し、それらの表示ドットが複数個、マトリクス状に配列されることにより、映像を表示するための表示領域が形成される。
【００４５】
図２において、第１基板４ａに対向する第２基板４ｂは、矢印Ｂ方向から見て方形状であってガラス、プラスチック等によって形成された第２基材１１ｂを有する。そして、この第２基材１１ｂの液晶側表面に、カラーフィルタ２８が形成され、その上にライン電極１７ｂが形成され、その上に配向膜１８ｂが形成される。配向膜１８ａの表面には、一対の基板４ａ及び４ｂをシール材６によって貼着する前に、ラビング処理等といった配向処理が施される。
【００４６】
また、第２基材１１ｂの外側表面には偏光板２７ｂが、例えば貼着等によって装着される。この偏光板２７ｂは、第１基板４ａ側の偏光板２７ａの偏光透過軸と異なったある一方向を向く直線偏光を透過させ、それ以外の偏光を吸収、分散等によって透過させないように機能する。
【００４７】
ライン電極１７ｂは、図１及び図１（ａ）に示すように、ライン配線２２と直角の方向、すなわちＹ方向に延在し、且つそれと直角な方向であるＸ方向に互いに間隔をおいて平行に、すなわち全体としてストライプ状に形成されている。また、個々のライン電極１７ｂは図１（ａ）に示すように、Ｙ方向に列状に並ぶ複数のドット電極１７ａに対向するように形成される。そして、ドット電極１７ａとライン電極１７ｂとが重なる領域が表示ドットを構成する。
【００４８】
なお、図１では、構造を分かり易く示すためにライン電極１７ｂを数本だけ間隔を大きく開けて模式的に描いてあるが、実際は、ライン電極１７ｂは多数本が非常に狭い間隔で形成される。
【００４９】
図２において、カラーフィルタ２８は、所定の配列で並べられたＲ，Ｇ，Ｂの３色絵素２９と、それらの絵素２９の間に形成された遮光領域、すなわちブラックマスク３１とによって形成される。Ｒ，Ｇ，Ｂの各色色絵素２９の配列としては、例えば、ストライプ配列、デルタ配列、モザイク配列等がある。また、個々の色絵素２９は、ドット電極１７ａとライン電極１７ｂとが重なって形成される表示ドットに対応する位置に形成される。
【００５０】
図１において、第１基板４ａは第２基板４ｂの外側に張り出す張出し部７を有し、その張出し部７の表面には配線３２及び端子３３が形成されている。これらの配線３２及び端子３３が集まる領域に駆動用ＩＣ９がＡＣＦ（Anisotropic Conductive Film：異方性導電膜）８によって実装される。図２に示すように、駆動用ＩＣ９は突出する形状の端子であるバンプ３６を有する。また、ＡＣＦ８は、熱硬化性、熱可塑性又は紫外線硬化性等といった硬化特性を有する樹脂３７に多数の微細な導電粒子３８を混入させることによって形成されている。第１基板４ａの張出し部７上に形成された配線３２と駆動用ＩＣ９の出力側のバンプ３６はＡＣＦ８内の導電粒子３８によって導電接続される。また、端子３３と駆動用ＩＣ９の入力側のバンプ３６も導電粒子によって導電接続される。
【００５１】
図２において、配線３２及び端子３３は第１基板４ａ上にライン配線２２やドット電極１７ａを形成するときに同時に形成される。なお、ライン配線２２は張出し部７の上にそのまま延び出て配線３２となっている。また、第１基板４ａと第２基板４ｂとを接着するシール材６の内部には球形又は円筒形の導通材３４が混入されている。第２基板４ｂ上に形成されたライン電極１７ｂは第２基板４ｂの上でシール材６の所まで引き回された後、導通材３４を介して第１基板４ａ上の配線３２に導電接続されている。以上の構成により、第１基板４ａ上に実装された駆動用ＩＣ９は、第１基板４ａ上のライン配線２２従ってドット電極１７ａと、第２基板４ｂ上のライン電極１７ｂとの両方の電極へ信号を供給することができる。
【００５２】
図１において、液晶パネル２を構成する第１基板４ａの外側表面に対向して配設された照明装置３は、例えば、透明なプラスチックによって形成された方形状で板状の導光体３９と、その導光体３９に取り付けられる光源装置４１とを有する。図２において、導光体３９のうち液晶パネル２と反対側の面には光反射シート５２が例えば貼着によって装着されている。また、導光体３９のうち液晶パネル２に対向する面には光拡散シート５３が例えば貼着によって装着され、さらにその上にプリズムシート５４が例えば貼着によって装着される。
【００５３】
光反射シート５２は、導光体３９のうち液晶パネル２と反対側の面から外部へ出た光を反射して、再び導光体３９を通過させて、導光体３９のうち液晶パネル２に対向する面から外部へ出射させる。光拡散シート５３は、導光体３９のうち液晶パネル２に対向する面から出射した光を拡散、すなわち多方向へ分散する。プリズムシート５４は、液晶パネル２に対向する面及び／又は導光体３９に対向する面にプリズム、すなわち平行でない平面を２つ以上持つ透明体、を設けたシート部材であり、光拡散シート５３から出た光を一定の方向へ向けるように作用する。
【００５４】
図１において、光源装置４１は、光を点状に発生する光源としての３個のＬＥＤ４２と、それらのＬＥＤ４２を支持する基板４３とを有する。ＬＥＤ４２は必要に応じて１個とすることもでき、あるいは、３個以外の複数個とすることもできる。基板４３は、例えば、プラスチック製で可撓性を有する半透明のフィルム上に端子４４、それらの端子から延びる配線４６及びそれらの配線４６に接続された制御回路４７を有する。制御回路４７は、ＬＥＤ４２を駆動するための電流を生成する。ＬＥＤ４２は、制御回路４７に接続されるように基板４３上に接着等によって固着される。
【００５５】
ＬＥＤ４２は、例えば図２に示すように、青色光を発生する青色ＬＥＤ４８と、ＹＡＧ蛍光体を含み青色ＬＥＤ４８の発光面に設けられた樹脂４９とを有する。青色ＬＥＤ４８から発生した青色光が樹脂４９を通過するとき、その青色光の一部がＹＡＧ蛍光体に当たって黄色光、すなわち緑色光と赤色光との混合光、に変換され、これがＹＡＧ蛍光体に当たらないで外部へ出射した青色光と混合することにより発光面５１に白色光が得られるようになっている。
【００５６】
光源装置４１の基板４３の先端には組付け代Ｋが設定され、この組付け代Ｋが光反射シート５２を介して導光体３９のうちの液晶パネル２と反対側の面に、例えば接着によって固着される。このような接着方式に代えて、導光体３９の適所に突起、例えばピンを形成し、それに対応する基板４３の位置に嵌合構造、例えば穴を設け、それらのピンと穴とを嵌合させることにより光源装置４１を導光体３９に固着するといった構造を採用することもできる。
【００５７】
なお、本実施形態では導光体３９と基板４３との間に光反射シート５２を設けたが、基板４３を導光体３９に直接に固着し、その後に基板４３及び導光体３９の外側表面に光反射シート５２を装着することもできる。
【００５８】
導光体３９のうち液晶パネル２と反対側の面には、ドットパターンとしての複数の突部５６が一定の配列パターンで形成される。これらの突部５６は導光体３９の内部を全反射しながら進行する光を導光体３９の外部へ出すために設けられている。図４は、図２において液晶パネル２を取り除いて導光体３９及び光源装置４１を矢印Ｂ方向から見た構造を示している。図４に示す通り、個々の突部５６は平面的に方形状に形成され、さらに光源装置４１に近い側が小さい面積に形成され、光源装置４１から離れるに従って面積が大きくなるように形成されている。
【００５９】
このように光源装置４１からの距離に応じて突部５６の面積を変化させるのは、光源装置４１に近い側で液晶パネル２へ向かって出射される光の光量を弱め、光源装置４１から遠い側で液晶パネル２へ向かって出射される光の光量を強めることにより、導光体３９から液晶パネル２へ供給される面状の光を均一にするためである。
【００６０】
なお、図２において、光反射シート５２、光拡散シート５３及びプリズムシート５４は必要に応じてそれらのうちのいずれか又は全部を省略することができる。
【００６１】
図４において、光源装置４１を構成する基板４３のうちＬＥＤ４２が設けられている位置よりも導光体３９側の領域Ｇの表面であって、隣り合うＬＥＤ４２の間の領域には光反射領域Ｈが設けられる。また、それらの光反射領域Ｈの間であってＬＥＤ４２の発光面５１の前方領域、すなわち発光面５１の近傍、には、局所的高輝度領域Ａ（図１１（ａ）参照）の輝度を抑えるための光学領域Ｐが設けられる。
【００６２】
光反射領域Ｈは、本実施形態の場合、図２に示すように、基板４３上に印刷された白色材料５７によって形成されている。また、光学領域Ｐは、白色材料５７の上に形成された黒色材料５８によって形成されている。この黒色材料５８が光を反射させ難い部材として作用する。光学領域Ｐ及び光反射領域Ｈは、導光体３９の入光面３９ａとＬＥＤ４２の発光面５１との間の領域、及び基板４３が導光体３９と重なる領域の両方にわたって設けられている。
【００６３】
光反射領域Ｈは、白色材料の印刷に限られず、基板４３それ自体を白色材料で形成することや、白色シートを接着すること等によって実現できる。また、色に関しては、白色に限られず、光を反射できるその他の色とすることができる。
【００６４】
また、光学領域Ｐを構成する、光を反射させ難い部材は、黒色材料の印刷に限られず、基板４３それ自体を黒色材料で形成することや、黒色シートを接着すること等によって実現できる。また、色に関しては、黒色に限られず、光を吸収できるその他の色、例えば灰色とすることができる。
【００６５】
図５は、光源装置４１を構成する基板４３と導光体３９とを組み付けた構造体のうちＬＥＤ４２が設けられた部分を拡大して示している。一般に、ＬＥＤ４２は出射光に関して指向性を有している。つまり、ＬＥＤ４２の発光面５１から出る光は特定の方向に強く、特定の方向に弱い性質を持っている。図５に符号Ｓで示す図形は、ＬＥＤ４２の光指向性を示している。
【００６６】
この光指向性図Ｓの見方を説明すれば、図５（ａ）において、ＬＥＤ４２から出る光のうち矢印Ｃ０で示す直進方向に進む光の強度は矢印Ｃ０の長さで示す大きさを有し、矢印Ｃ１、Ｃ２、Ｃ３、Ｃ４のそれぞれの方向に進む光の強度は、それぞれの矢印の長さに対応した強度を有する。この指向性図Ｓから明らかなように、ＬＥＤ４２の発光面の真横方向、すなわち角度０°の真横方向、には光が出射しない。なお、ＬＥＤ４２の光指向性は平面的なものではなく図５（ｂ）に示すように高さ方向にも発現する。つまり、ＬＥＤ４２は３次元的な光指向性図Ｓで示される光指向性を有する。
【００６７】
本実施形態において、局所的高輝度領域の発生を抑えるための光学領域Ｐの平面的な幅Ｄは、上記の光指向性図Ｓよりも広い範囲となるように形成される。これにより、ＬＥＤ４２からの光が基板４３で反射することを確実に抑えることができ、その結果、当該反射光に起因して発生する局所的高輝度領域を確実に抑えることができる。
【００６８】
なお、光学領域Ｐの平面的な幅Ｄは上記のようにして決められるが、その光学領域Ｐの平面的な長さＥは、光指向性図Ｓとは関係なく、図５（ｂ）に示すようにして決められる。具体的には、光学領域Ｐの長さＥは、ＬＥＤ４２の発光面５１から出た光が導光体３９とＬＥＤ４２との間を通って基板４３に直接に到達する領域よりも長く設定される。こうすれば、基板４３からの反射光であって局所的高輝度領域の発生に寄与する部分の反射光を確実に抑えることができる。
【００６９】
なお、本実施形態のように基板４３と導光体３９との間に光反射シート５２を介在させる構造を採用する場合には、ＬＥＤ４２から出て導光体３９へ入った光は光反射シート５２で反射して光学領域Ｐへは到達しない。従って、光反射シート５２と重なる領域に関しては光学領域Ｐを設けても、あるいは設けなくても、局所的高輝度領域の発生を抑えることに関する効果には変わりがないかもしれない。しかしながら、光反射シート５２を透過する光が存在する場合があるかもしれないので、そのような光が基板４３で反射して局所的高輝度領域の発生に関与することを防止するため、できれば、光反射シート５２と重なり合う領域の基板４３上にも光学領域Ｐを設けておくことが望ましい。
【００７０】
また、液晶装置の変形例として、光反射シート５２を本実施形態のように基板４３と導光体３９との間に設けるのではなくて、導光体３９の辺端に基板４３を直接に装着し、その後に光反射シート５２を基板４３及び導光体３９の外側表面に装着するという構成が考えられる。このような場合には、導光体３９のうちＬＥＤ４２の近傍の辺端部において、ＬＥＤ４２から出て導光体３９に入射した光が導光体３９と外部空間との境界面で全反射することなく、導光体３９の外部すなわち空間内へ出射するときがある。このような場合、導光体３９の外部へ出射する光が基板４３に到達すると、その光は基板４３で反射して局所的高輝度領域の発生に関与するおそれがあるので、そのような反射光が発生すると考えられる基板４３上の領域にも光学領域Ｐを設けることが望ましい。
【００７１】
さらに、液晶装置の変形例として、光反射シート５２を採用することなく、導光体３９の辺端に基板４３を直接に装着するという構成も考えられる。このような場合にも、導光体３９のうちＬＥＤ４２の近傍の辺端部において、ＬＥＤ４２から出て導光体３９に入射した光が導光体３９と外部空間との境界面で全反射することなく、導光体３９の外部すなわち空間内へ出射するときがある。このような場合も、導光体３９の外部へ出射する光が基板４３に到達すると、その光は基板４３で反射して局所的高輝度領域の発生に関与するおそれがあるので、そのような反射光が発生すると考えられる基板４３上の領域にも光学領域Ｐを設けることが望ましい。
【００７２】
ＬＥＤ４２の近傍の基板４３の上に光学領域Ｐを設けることにより局所的高輝度領域の発生を抑えることができることは上述の通りである。本実施形態では、その上さらに、隣り合う一対の光学領域Ｐの間に白色領域等といった光反射領域Ｈを設けてある。一般に、ＬＥＤ４２の発光面の前方領域には光が到達し易いが、隣り合う一対のＬＥＤ４２の中間領域、すなわちＬＥＤ４２の両脇部分、には光が到達し難い。そして、このことがＬＥＤ４２の前方領域に対応して局所的高輝度領域が発生し易いことの理由の１つであると考えられる。このことに関し、本実施形態のように、隣り合う一対のＬＥＤ４２の中間領域に光反射領域Ｈを設ければ、光量が低下し易い当該領域における基板４３上での反射光量を増大させることができ、それ故、局所的高輝度領域の発生をより一層確実に抑えることができる。
【００７３】
次に、図１及び図４に示すように、導光体３９の入光面３９ａには、プリズム面６１と平面６２とが交互に連続する光学パターンが形成されている。プリズムとは、平行でない平面を２つ以上持つ透明体のことであり、プリズム面とはそのようなプリズムの外面のことである。本実施形態では、導光体３９の入光面３９ａの高さ方向、すなわち厚さ方向、の全域にわたって直線状に延びる断面三角形状で山状の突起がプリズム面６１として設けられている。
【００７４】
なお、プリズム面６１は、入光面３９ａの高さ方向、すなわち導光体３９の板厚方向の全域にわたって設けられることに限られず、その高さ方向の部分的な位置に設けることもできる。また、プリズム面６１の断面三角形状は、入光面３９ａを底辺とする正三角形状や、その正三角形状よりも高さの高い、すなわち尖った形状の２等辺三角形や、上記の正三角形よりも高さの低い、すなわち扁平形状の２等辺三角形や、直角三角形や、それら以外の任意の三角形状とすることができる。また、プリズム面６１の断面形状は、三角形状以外の多角形状とすることができる。
【００７５】
以上のように、本実施形態では、導光体３９の入光面３９ａにプリズム面６１を設けたので、ＬＥＤ４２から出て導光体３９へ入る光は当該プリズム面６１によって導光体３９の平面方向へ適度に拡散され、そのため、基板４３上に設けた光学領域Ｐの存在と相俟って、ＬＥＤ４２の近傍領域に局所的高輝度領域が発生することを、より一層確実に防止できる。
【００７６】
なお、導光体３９の入光面３９ａにプリズム面６１を設けるにあたっては、そのプリズム面６１だけを連続して設けること、すなわち入光面３９ａの全面を連続するプリズム面６１とすること、も考えられる。しかしながら本実施形態では、そのような連続するプリズム面６１を採用するのではなく、プリズム面６１と平面６２とが交互に連続する光学パターンを採用してある。
【００７７】
このように、互いに隣り合う一対のプリズム面６１の間に平面６２を介在させると、プリズム面６１を連続させる場合に比べて、局所的高輝度領域の発生をより一層確実に防止できることが本発明者の実験によって確認された。これは、プリズム面６１の間に平面６２を介在させた方が、プリズム面６１を連続させる場合に比べて、光の拡散状態をより一層顕著にすることができるからであると考えられる。
【００７８】
また、平面６２を介在させることなくプリズム面６１を連続させると、出射光の輝度が低下することが考えられるが、プリズム面６１と平面６２とを連続させるようにすれば、輝度の低下を防止して明るい表示を行うことができる。
【００７９】
なお、図５（ａ）に示すように、プリズム面６１を構成する断面三角形状の底辺部分は、そのプリズム面６１に最も近い突部５６ａの幅よりも長く形成されている。換言すれば、導光体３９のうち液晶パネル２の反対側の面に、光の屈折を調節するための複数の突部５６を形成する場合には、それらの突部５６のうちプリズム面６１に最も近い位置にある突部５６ａの幅は、プリズム面６１の底辺部分よりも小さく形成される。
【００８０】
以下、上記構成より成る液晶装置に関してその動作を説明する。
【００８１】
太陽光、室内光等といった外部光が十分な場合、図２に矢印Ｆで示すように、外部光が第２基板４ｂを通して液晶パネル２の内部へ取り込まれ、この外部光が液晶層１３を通過した後に半透過反射膜１６で反射して液晶層１３へ供給される。
【００８２】
他方、外部光が不十分である場合には、照明装置３を構成する光源装置４１内のＬＥＤ４２を点灯する。このとき、ＬＥＤ４２から点状に出た光は矢印Ｊで示すように導光体３９の入光面３９ａから該導光体３９の内部へ導入され、その後、液晶パネル２に対向する面、すなわち光出射面から直接に出射したり、あるいは、突部５６を設けた反対側の面から出て光反射シート５２で反射した後に光出射面から出射したりする。このようにして光出射面の各所から出射する光が、半透過反射膜１６に形成した開口１９を通って面状の光として液晶層１３へ供給される。
【００８３】
以上のようにして液晶層１３へ光が供給される間、液晶パネル２に関しては、駆動用ＩＣ９によって制御されて、ライン配線２２に例えば走査信号が供給され、同時に、ライン電極１７ｂに例えばデータ信号が供給される。このとき、走査信号とデータ信号との電位差に応じて特定表示ドットのＴＦＤ２１が選択状態（すなわち、オン状態）になると、その表示ドット内の液晶容量に映像信号が書き込まれ、その後、当該ＴＦＤ２１が非選択状態（すなわち、オフ状態）になると、その信号は当該表示ドットに蓄えられて当該表示ドット内の液晶層を駆動する。
【００８４】
こうして、液晶層１３内の液晶分子が表示ドットごとに制御され、それ故、液晶層１３を通過する光が表示ドットごとに変調される。そして、このように変調された光が偏光板２７ｂを通過することにより、液晶パネル２の有効表示領域内に文字、数字、図形等といった像が表示される。
【００８５】
以上のように液晶を利用した表示が行われる間、図４において、ＬＥＤ４２から発生した光は導光体３９の入光面３９ａから該導光体３９の内部へ取り込まれる。そして、この光は、導光体３９の内部を全反射しながら進行する間に、特定の光学条件が満足されたときに導光体３９から面状に出射して液晶パネル２へ供給される。
【００８６】
この際、ＬＥＤ４２から出た光は当該ＬＥＤ４２の発光面５１の前方領域では強度が高く、当該ＬＥＤ４２から横方向に離れる領域では強度が弱くなる。このため、導光体３９のうちＬＥＤ４２に近い部分には局所的高輝度領域が発生し易い。しかしながら、本実施形態では、導光体３９の入光面３９ａに、プリズム面６１と平面６２とが交互に連続する光学パターンを設けたので、入光面３９ａに入射した光が導光体３９の平面方向に十分に拡散される。このため、導光体３９のうちＬＥＤ４２に近い部分に局所的高輝度領域が発生することを確実に防止できる。また、輝度の低下も防止できる。
【００８７】
また、本実施形態では、ＬＥＤ４２の発光面５１の前方領域に黒色の光学領域Ｐを設けたので、ＬＥＤ４２の発光面５１の前方領域に対応する光の光量が抑えられる。このため、プリズム面６１を含む光学パターンの作用との相乗効果により、上記のような局所的高輝度領域の発生を、より一層抑えることができる。
【００８８】
さらに、本実施形態では、ＬＥＤ４２の横方向に離れる領域、すなわちＬＥＤ４２の脇領域に、白色の光反射領域Ｈを設けたので、ＬＥＤ４２の横方向の領域における光の光量の低下を抑えることができる。このため、プリズム面６１を含む光学パターンの作用及び黒色の光学領域Ｐを設けることとの相乗効果により、上記のような局所的高輝度領域の発生を、より一層抑えることができる。
【００８９】
（変形例）
図６は、導光体３９の入光面３９ａに設けるプリズム面の変形例を示している。図５（ａ）では断面形状が正三角形状又は２等辺三角形状の突起をプリズム面６１として採用したが、図６に示す例では、断面形状が直角三角形状の突起をプリズム面６１として採用している。
【００９０】
図７は、導光体３９の入光面３９ａに設けるプリズム面の他の変形例を示している。図５（ａ）や図６で示した実施形態では、プリズム面６１として突起を採用したが、図７に示す例では、窪み、特に断面形状が正三角形状又は２等辺三角形状の窪みをプリズム面として採用している。
【００９１】
図８は、導光体３９における面状の光出射面やそれと反対側の面に設ける、光の屈折率を調節するための光学パターンの変形例を示している。図５に示した実施形態では、そのような光学パターンとしてドット状の突部５６を採用したが、図８に示す例では、ＬＥＤ４２からの光の入射方向に対して横方向に延在する複数の直線状の突起６３、すなわちストライプパターンを光学パターンとして採用している。図８では、ストライプパターン６３の断面形状を三角形状にしているが、これを方形状、半円形状等にすることもできる。
【００９２】
図５においてドット状の突部５６の面積をＬＥＤ４２から離れるに従って徐々に大きくしたことと同様の理由で、すなわち導光体３９の光出射面から均一な強さの面状の光を出射するため、複数のストライプ突起６３の配列ピッチＭは徐々に蜜になるように形成されている。なお、これに代えて、ストライプ突起６３の大きさを徐々に大きくするといった構造を採用することもできる。
【００９３】
さらに、図５の実施形態では、局所的高輝度領域の発生を防止するための光学領域Ｐを形成するための、光を反射させ難い部材として、黒色材料の印刷等といった処理を施した。すなわち、光を反射させ難い部材として光吸収部材を用いた。しかしながら、光を反射させ難い部材はそのような光吸収部材に限られず、例えば、光拡散部材又は光透過部材によって形成することもできる。
【００９４】
（電子機器の実施形態）
図９は、本発明に係る電子機器の一例である携帯電話機の一実施形態を示している。ここに示す携帯電話機９０は、アンテナ９１、スピーカ９２、液晶装置１００、キースイッチ９３、マイクロホン９４等といった各種構成要素を、筐体としての外装ケース９６に格納することによって構成される。また、外装ケース９６の内部には、上記の各構成要素の動作を制御するための制御回路を搭載した制御回路基板９７が設けられる。液晶装置１００は、例えば図１に示した液晶装置１によって構成できる。
【００９５】
この携帯電話機９０では、キースイッチ９３及びマイクロホン９４を通して入力される信号や、アンテナ９１によって受信した受信データ等が制御回路基板９７上の制御回路へ入力される。そしてその制御回路は、入力された各種データに基づいて液晶装置１の表示面内に数字、文字、絵柄等の画像を表示し、さらにアンテナ９１を介して送信データを送信する。
【００９６】
図１に示した液晶装置１では、導光体３９の入光面３９ａにプリズム面６１及び平面６２から成る光学パターンを設けた関係上、液晶パネル２の有効表示領域のうちＬＥＤ４２に近い側に局所的高輝度領域が発生することを防止でき、均一な明るさの表示を行うことができる。従って、図９の液晶装置１００としてそのような液晶装置１を用いれば、携帯電話機９０の表示部に明るさの均一な見易い表示を行うことができる。
【００９７】
図１０は、本発明に係る電子機器の他の実施形態を示している。ここに示す電子機器は、表示情報出力源１０１、表示情報処理回路１０２、電源回路１０３、タイミングジェネレータ１０４及び液晶装置１００によって構成される。そして、液晶装置１００は液晶パネル１０７及び駆動回路１０６を有する。
【００９８】
表示情報出力源１０１は、ＲＡＭ（Random Access Memory）等といったメモリや、各種ディスク等といったストレージユニットや、ディジタル画像信号を同調出力する同調回路等を備え、タイミングジェネレータ１０４により生成される各種のクロック信号に基づいて、所定フォーマットの画像信号等といった表示情報を表示情報処理回路１０２に供給する。
【００９９】
次に、表示情報処理回路１０２は、増幅・反転回路や、ローテーション回路や、ガンマ補正回路や、クランプ回路等といった周知の回路を多数備え、入力した表示情報の処理を実行して、画像信号をクロック信号ＣＬＫと共に駆動回路１０６へ供給する。ここで、駆動回路１０６は、走査線駆動回路（図示せず）やデータ線駆動回路（図示せず）と共に、検査回路等を総称したものである。また、電源回路１０３は、上記の各構成要素に所定の電源電圧を供給する。
【０１００】
本実施形態の電子機器においても、液晶装置１００として図１に示した液晶装置１を用いることにより、局所的高輝度領域のない、明るさの均一な表示を行うことができる。
【０１０１】
（その他の実施形態）
以上、好ましい実施形態を挙げて本発明を説明したが、本発明はその実施形態に限定されるものでなく、請求の範囲に記載した発明の範囲内で種々に改変できる。
【０１０２】
例えば、図１に示した実施形態では、基板表面に駆動用ＩＣを直接に実装する構造であるＣＯＧ方式の液晶装置に本発明を適用したが、ＣＯＧ方式に代えて、ＦＰＣ（Flexible Printed Circuit）等といった配線基板を介して駆動用ＩＣを液晶パネルに接続する構造の液晶装置に対して本発明を適用できることはもちろんである。また、駆動用ＩＣが実装されたＴＡＢ（Tape Automated Bonding）基板を液晶パネルに接続する構造の液晶装置に対しても本発明を適用できる。
【０１０３】
また、図１に示す実施形態では、２端子型の能動素子であるＴＦＤをスイッチング素子として各表示ドットに付設する構造のアクティブマトリクス方式の液晶装置に本発明を適用したが、これに代えて、アクティブ素子を用いない単純マトリクス方式の液晶装置や、ＴＦＴ（Thin Film Transistor）等といった３端子型の能動素子をスイッチング素子として各表示ドットに付設する構造のアクティブマトリクス方式の液晶装置等に対しても本発明を適用することができる。
【０１０４】
また、図１に示す実施形態では、液晶としてＴＮ型が用いられることが一般的であるが、これに代えて、ＢＴＮ（Bi-stable Twisted Nematic）型液晶を用いる構造の液晶装置や、強誘電型液晶等といったメモリ性を有する双安定型の液晶を用いる構造の液晶装置や、高分子分散型の液晶を用いる構造の液晶装置や、分子の長軸方向と短軸方向とで可視光の吸収に異方性を有する染料（ゲスト）を一定の分子配列の液晶（ホスト）に溶解して、染料分子を液晶分子と平行に配列させたＧＨ（ゲストホスト）型の液晶を用いる構造の液晶装置等といった各種構造の液晶装置に対しても本発明を適用できる。
【０１０５】
また、本発明は、電圧無印加時には液晶分子が両基板に対して垂直方向に配列する一方、電圧印加時には液晶分子が両基板に対して水平方向に配列するという垂直配向（すなわち、ホメオトロピック配向）を利用する構成の液晶装置に対しても適用できる。
【０１０６】
また、本発明は、電圧無印加時には液晶分子が両基板に対して水平方向に配列する一方、電圧印加時には液晶分子が両基板に対して垂直方向に配列するという平行配向（すなわち、水平配向又はホモジニアス配向）を利用する構成の液晶装置に対しても適用できる。
【０１０７】
以上のように、本発明を適用できる液晶装置は、液晶や配向方式として種々のものを採用できる。
【０１０８】
また、図９では、本発明を電子機器としての携帯電話機に適用したが、本発明は、携帯情報端末機、デジタルカメラ、ビデオカメラその他種々の電子機器に適用できる。
【０１０９】
（第１実施例）
図１３（ａ）に示すように、プリズム面６１の高さをＬ１＝１０〜５０μｍ、望ましくは０．０２〜０．３ｍｍとし、頂角をα＝８０〜１２０°とし、ピッチをＰ１＝１００〜３００μｍとし、ＬＥＤ４２の発光面と導光体３９の入光面３９ａとの間の距離をＤ１＝０．２ｍｍ以下とした。また、図１３（ｂ）に示すように、ＬＥＤ４２の発光面の高さをＨ１＝０．７ｍｍとし、ＬＥＤ４２の高さをＨ２＝１．０ｍｍとし、導光体３９の入光面３９ａの高さをＨ３＝０．８〜０．９ｍｍとした。ＬＥＤ４２、プリズム面６１等の条件を以上のように設定したところ、局所的高輝度領域が実用上問題のない程度まで低減でき、しかも、導光体３９から出射する光の輝度を十分な大きさで確保できた。
【０１１０】
（第２実施例）
次に、図１４（ａ）において、対角サイズが２インチの導光体３９であって、入光面３９ａが単なる平面であるもの、入光面３９ａがプリズム面と平面との連続から成る本発明製品、そして入光面３９ａがプリズム面だけの連続であるもの、の３種類の導光体３９を用意した。
【０１１１】
そして、各導光体３９の入光面３９ａに対向して３個のＬＥＤ４２を光源として設置した。また、各導光体３９の裏面側に光反射シート６６を設け、さらに、各導光体３９の光出射側に光拡散シート６７、第１プリズムシート６８ａ、第２プリズムシート６８ｂを設けた。第１プリズムシート６８ａと第２プリズムシート６８ｂプリズムパターンは互いに直交するように配置した。
【０１１２】
上記の各照明装置においてＬＥＤ４２の１個当りに１５ｍＡの電流を供給してそれらを点灯した。そして、図１４（ｂ）において、導光体３９の光出射面上の丸１〜丸５で示す５点での輝度を輝度計ＢＭ５Ａ（トプコン社製）を用いて測定した。
【０１１３】
以上の測定結果を図１５に示す。図１５において、「平均輝度」は丸１〜丸５において測定した輝度の平均値である。また、「均一性」とは「輝度ムラ」の平均値である。この測定結果から次のことが判明した。すなわち、導光体３９におけるＬＥＤ４２の近傍に発生する局所的高輝度領域は、プリズム面と平面とを連続させた構成のものによって実用上問題のない程度まで低減された。また、導光体の光出射面における輝度ムラは、プリズム面と平面とを連続させた構成のものによって実用上問題のない程度まで低減された。さらに、導光体の光出射面における平均輝度は、プリズム面と平面とを連続させた構成のものが最も高かった。以上により、導光体の入光面にプリズム面と平面とが連続する光学パターンを設ければ、輝度が高く、しかも局所的高輝度領域の発生のない出射光を得ることができることが分かった。
【図面の簡単な説明】
【０１１４】
【図１】本発明に係る照明装置及び液晶装置のそれぞれの一実施形態を分解状態で示す斜視図である。
【図２】図１に示す液晶装置の断面構造を示す断面図である。
【図３】図１の液晶装置で用いられるアクティブ素子の一例を示す斜視図である。
【図４】図１の液晶装置で用いられる照明装置の平面構造を示す平面図である。
【図５】（ａ）は図４の要部を拡大して示す平面図であり、（ｂ）はその要部の断面構造を示す断面図である。
【図６】導光体の入光面に設けるプリズム面の変形例を示す平面図である。
【図７】導光体の入光面に設けるプリズム面の他の変形例を示す平面図である。
【図８】（ａ）は導光体の光出射面等に設ける光学パターンの変形例を示す平面図であり、（ｂ）はその断面図である。
【図９】本発明に係る電子機器の一実施形態を示す斜視図である。
【図１０】本発明に係る電子機器の他の実施形態を示すブロック図である。
【図１１】照明装置の従来例を示す平面図である。
【図１２】照明装置の他の従来例を示す平面図である。
【図１３】本発明に係る照明装置の一実施例を示す図であり、（ａ）は平面図を示し、（ｂ）は側面断面図を示している。
【図１４】本発明に係る照明装置の他の実施例を示す図であり、（ａ）は側面図を示し、（ｂ）は平面図を示している。
【図１５】図１４に示す実施例を用いて行った測定の結果を示す図である。
【符号の説明】
【０１１５】
１…液晶装置、２…液晶パネル、３…照明装置、４ａ，４ｂ…基板、１６…半透過反射膜、１７ａ…ドット電極、１７ｂ…ライン電極、１８ａ，１８ｂ…配向膜、１９…開口、２１…ＴＦＤ、２２…ライン配線、２７ａ，２７ｂ…偏光板、２８…カラーフィルタ、４１…光源装置、４２…ＬＥＤ（光源）、４３…基板、４４…端子、５１…発光面、５２…光反射シート、５３…光拡散シート、５４…プリズムシート、５６…突部（ドットパターン）、５７…白色材料、５８…黒色材料、６１…プリズム面、６２…平面、６３…突起（ストライプパターン）、９０…携帯電話機（電子機器）、１００…液晶装置、Ａ…局所的高輝度領域、Ｈ…光反射領域、Ｋ…組付け代、Ｐ…光学領域、Ｓ…指向性図、Ｗ…有効発光領域。
【図１】
2008060086.tif 000003
【図２】
2008060086.tif 000004
【図３】
2008060086.tif 000005
【図４】
2008060086.tif 000006
【図５】
2008060086.tif 000007
【図６】
2008060086.tif 000008
【図７】
2008060086.tif 000009
【図８】
2008060086.tif 000010
【図９】
2008060086.tif 000011
【図１０】
2008060086.tif 000012
【図１１】
2008060086.tif 000013
【図１２】
2008060086.tif 000014
【図１３】
2008060086.tif 000015
【図１４】
2008060086.tif 000016
【図１５】
2008060086.tif 000017
【手続補正書】
【提出日】平成19年11月14日(2007.11.14)
【手続補正１】
【補正対象書類名】特許請求の範囲
【補正対象項目名】全文
【補正方法】変更
【補正の内容】
【特許請求の範囲】
【請求項１】
透過表示が可能な液晶パネルのバックライトとして用いられる照明装置であって、
光源と、
前記光源からの光が入射される入光面を備えた導光板と、を有し、
前記導光板と前記液晶パネルとの間には、
拡散シートと、
第１のプリズムパターンが形成された第１プリズムシートと、
前記第１のプリズムパターンと交差する方向の第２のプリズムパターンが形成された第２プリズムシートと、が重ねて配置されていることを特徴とする照明装置。
【請求項２】
前記導光板の出光面、または前記出光面と対向する面には、複数のドットパターンが形成されていることを特徴とする請求項２に記載の照明装置。
【請求項３】
前記ドットパターンは、前記入光面の近くから遠ざかるにつれて、その面積が順次大きくなるように形成されていることを特徴とする請求項１または２に記載の照明装置。
【請求項４】
さらに、前記光源を支持する基板を備え、
前記基板のうち前記光源を支持する面には、前記光源の近傍に発生する局所的高輝度領域の輝度を抑えるための光学領域が設けられていることを特徴とする請求項１〜３のいずれか一項に記載の照明装置。
【手続補正２】
【補正対象書類名】明細書
【補正対象項目名】００１２
【補正方法】変更
【補正の内容】
【００１２】
上記目的を達成するため、本発明の照明装置は、透過表示が可能な液晶パネルのバックライトとして用いられる照明装置であって、光源と、光源からの光が入射される入光面を備えた導光板と、を有し、導光板と前記液晶パネルとの間には、拡散シートと、第１のプリズムパターンが形成された第１プリズムシートと、前記第１のプリズムパターンと交差する方向の第２のプリズムパターンが形成された第２プリズムシートと、が重ねて配置されていることを特徴とする。
また、導光板の出光面、または出光面と対向する面には、複数のドットパターンが形成されていることが好ましい。
また、ドットパターンは、入光面近傍から遠ざかるにつれて、その面積が順次大きくなるように形成されていることが好ましい。
また、さらに、光源を支持する基板を備え、基板のうち光源を支持する面には、光源の近傍に発生する局所的高輝度領域の輝度を抑えるための光学領域が設けられていることが好ましい。